(57)【特許請求の範囲】
【請求項１】
床面に設置される左右一対の第１支柱部材と前記第１支柱部材の上方に伸縮自在に設けられた第２支柱部材を備えた伸縮可能な支柱と、
前記第１支柱部材に固定された第１パネルと、
前記支柱の伸縮に応じて前記第１パネルに対してスライド可能に前記第２支柱部材に固定された第２パネルと、
第２支柱部材に所定ピッチで設けられた下端側から内側に屈曲するように設けられたラチェット片を有するロック孔と前記第１支柱部材に設けられた前記ロック孔に係入可能なロック部材とを備えるロックユニットと、
前記一対の支柱の少なくとも一端に設けられ、前記支柱の伸縮方向に前記ロック孔のピッチよりも大きい移動幅で移動可能に構成された突張部材と、前記突張部材を伸張した状態に付勢する付勢部材とを備える固定ユニットと、
を備え、
前記ロック部材は、前記第１支柱部材の互いの対向面上端部分に設けられたロック部材ホルダに回動可能に設けられ、前記ロック孔に係入可能な係入爪を備え、
前記一対のロック部材は、操作レバーで連結され、前記操作レバーを下向きに押すことによって、前記係入爪がロック孔から解除されることを特徴とする、間仕切りパネル。
【請求項２】
前記第１パネルは、前記第１支柱部材との間に前記第２パネルを収容する第２パネル部材収容空間が形成されるように前記第１支柱部材から離間した状態に固定され、
前記第２パネルは、前記第１パネルに対してスライド可能に上端側第２支柱部材に固定されていることを特徴とする、請求項１に記載の間仕切りパネル。
【請求項３】
前記第１パネル及び第２パネルの対向面には、前記支柱の伸縮方向に伸び案内溝と前記案内溝に挿入される案内リブが設けられていることを特徴とする、請求項１又は２に記載の間仕切りパネル。
【請求項４】
前記固定ユニットは、前記第２支柱部材の上端に設けられていることを特徴とする、請求項１から３のいずれか１つに記載の間仕切りパネル。
【発明の詳細な説明】
【技術分野】
【０００１】
本発明は間仕切りパネルに関し、特に屋内空間において簡易に取り付け及び取り外しが可能な内装用間仕切りパネルに関するものである。
【背景技術】
【０００２】
デパート売場や展示会場、事務所などの屋内空間において、ブースの仕切り等に間仕切りパネルが広く用いられ、それぞれ各種業務に適するように区切られる場合が多い。これらの間仕切りは、固定した背丈のパネルがそれぞれの高さごとに準備されていて、この中から各種業務に適するような高さの間仕切りを選択して用いたり、使用時に必要な高さに切断して施工していた。
【０００３】
一方でこれらの高さ固定の間仕切りは各種高さを数種類準備しておく必要があることの不便性から、上下方向に伸縮して高さを変更することができる間仕切りも知られている。
【０００４】
このような上下方向に伸縮する間仕切りパネルとしては、例えば、特許文献１から３などに記載されている。例えば、特許文献１（特開２００５−２７３４０２号公報）及び特許文献２（実用新案登録第３００８８６９号公報）には、上下方向に伸縮可能に設けられる２枚のパネルとこれらを任意の高さに固定することができるロック手段とを備えた間仕切りパネルが記載されている。これらの間仕切りパネルを設置する場合は、パネルを伸張させて予め床及び天井に設けられた上下ランナーに嵌め込むことで固定され、またパネルを縮小させて上下ランナーから外すことで取り外しを行うことができる。
【０００５】
また、特許文献３（特開平４−１０８９４２号公報）の間仕切りパネルは、例えば、机などの天面に固定し、用途に応じて上下に伸縮させることができ、これらのパネルを任意の高さに固定することができるように成された上下のパネルを備えた間仕切りパネルが開示されている。
【先行技術文献】
【特許文献】
【０００６】
【特許文献１】特開２００５−２７３４０２号公報
【特許文献２】実用新案登録第３００８８６９号公報
【特許文献３】特開平４−１０８９４２号公報
【発明の概要】
【発明が解決しようとする課題】
【０００７】
しかし、これらのパネルは当該室内において恒久的に設置されるものではなく設置位置の変更などのために取り付け及び取り外しの容易さが求められる場合があった。
【０００８】
特許文献１及び２の間仕切りパネルは、自由な取り付け位置調整を行なうことができず不便であった。また、パネルの伸縮作業にも、それぞれ設けられているロック機構に設けられているネジを回してロック板とロック孔との係合を着脱操作する必要があることから、簡易なパネルの取り付け及び取り外しが困難であるという問題があった。
【０００９】
さらに、特許文献３の間仕切りパネルは、設置固定のための手段などについては明確に記載されていないが、ビスなどを用いて机面などに固定すると考えられ、設置位置の変更や脱着の手間が煩雑である。
【００１０】
一方で、床面に固定脚を取り付けてパネルを立てて設置することも可能であるが、パネルの高さが異なると安定性が悪くなることから、パネルの最大高さを基準として取付脚を設計することが求められるが、パネルのサイズの割に大きな取付脚が必要となって邪魔になったり、美観等を損なう問題もある。
【００１１】
したがって、本発明が解決しようとする技術的課題は、取り付け位置の制限が少なく、また、屋内において簡易に取り付け及び取り外しが可能な内装用間仕切りパネルを提供することである。
【課題を解決するための手段】
【００１２】
本発明は、上記技術的課題を解決するために、以下の構成の間仕切りパネルを提供する。
【００１３】
本発明の第１態様によれば、床面に設置される左右一対の第１支柱部材と前記第１支柱部材の上方に伸縮自在に設けられた第２支柱部材を備え、伸縮可能な支柱と、
前記第１支柱部材に固定された第１パネルと、
前記支柱の伸縮に応じて前記第１パネルに対してスライド可能に前記第２支柱部材に固定された第２パネルと、
第２支柱部材に所定ピッチで設けられたロック孔と前記第１支柱部材に設けられた前記ロック孔に係入可能なロック部材とを備えるロックユニットと、
前記一対の支柱の少なくとも一端に設けられ、前記支柱の伸縮方向に前記ロック孔のピッチよりも大きい移動幅で移動可能に構成された突張部材と、前記突張部材を伸張した状態に付勢する付勢部材とを備える固定ユニットと、
を備えることを特徴とする、間仕切りパネルを提供する。
【００１４】
本発明の第２態様によれば、前記第１パネルは、前記第１支柱部材との間に前記第２パネル部材収容空間が形成されるように前記第１支柱部材から離間した状態に固定され、
前記第２パネルは、前記第１パネルに対してスライド可能に上端側第２支柱部材に固定されていることを特徴とする、第１態様の間仕切りパネルを提供する。
【００１５】
本発明の第３態様によれば、前記第１パネル及び第２パネルの対向面には、前記支柱の伸縮方向に伸び案内溝と前記案内溝に挿入される案内リブが設けられていることを特徴とする、第１又は第２態様の間仕切りパネルを提供する。
【００１６】
本発明の第４態様によれば、前記ロック部材は、前記ロック孔に係入可能な係入爪を備え、前記係入爪がロック孔から進退可能に第１支柱部材に取り付けられた係合部材とを備えることを特徴とする、第１から第３態様のいずれか１つの間仕切りパネルを提供する。
【００１７】
本発明の第５態様によれば、前記係合部材は、一対の前記第１支柱部材の対向面側に設けられ、一対の係合部材を連結する操作部材により操作可能に構成されていることを特徴とする、第４態様の間仕切りパネルを提供する。
【００１８】
本発明の第６態様によれば、前記固定ユニットは、前記第２支柱部材の上端に設けられていることを特徴とする、第１から第５態様のいずれか１つの間仕切りパネルを提供する。
【発明の効果】
【００１９】
本発明によれば、支柱部材が伸縮可能に構成されており、当該支柱部材の伸縮に追従して第２パネルが第１パネルに対して伸縮することで、パネルの高さ寸法を調整することができる。また、支柱の少なくとも１つの上下端には、伸縮方向に沿って移動可能な固定ユニットが設けられ、その移動幅は支柱の固定ピッチよりも大きく構成されているため、床と天井に支柱を突っ張って配置した場合にも、しっかりと安定した状態にパネルを配置することができる。また、パネル取り外しは、ロックユニットの係入を解除し支柱を短くすることで簡単に取り外すことができる。したがって、取り付け位置の制限が少なく、また、屋内において簡易に取り付け及び取り外しをすることができる。
【図面の簡単な説明】
【００２０】
【図１】本発明の間仕切りパネルの概略構成を示す斜視図であり、（ａ）は表面側から見た斜視図、（ｂ）裏面側から見た斜視図である。
【図２】図１（ｂ）の間仕切りパネルの上側部分の部分拡大図である。
【図３】図１（ｂ）の間仕切りパネルの下側部分の部分拡大図である。
【図４】図１（ｂ）のIV−IV線における断面図である。
【図５】図１の間仕切りパネルのロックユニットの構成を示す斜視図である。
【図６】図５のロックユニットの構成を示す部分拡大断面図である。
【図７】図１の間仕切りパネルの固定ユニットの構成を示す部分拡大断面図である。
【発明を実施するための形態】
【００２１】
以下、本発明の一実施形態に係る間仕切りパネルについて、図面を参照しながら説明する。
【００２２】
図１は、本発明の実施形態にかかる間仕切りパネルの概略構成を示す図である。図１に示す間仕切りパネル１は、床面に設置される左右一対の第１支柱部材３と第１支柱部材３の上方からに入れ子式に設けられた第２支柱部材４を備えた伸縮可能な支柱２と、支柱２の第１支柱部材３及び第２支柱部材４にそれぞれ設けられた第１パネル５及び第２パネル６とを備える。支柱２には、第２支柱部材４を第１支柱部材３の所定の伸縮位置に固定するロックユニット７が設けられる。
【００２３】
ロックユニット７は、第２支柱部材４の互いの対向面４ａに所定の均等ピッチで設けられた多数のロック孔８と、第１支柱部材３の互いの対向面３ａに設けられ、ロック孔８に係入可能なロック部材９を備える。ロックユニット７は、ロック孔８にロック部材９を係入させることによって、第１支柱部材３に対し収縮する方向への第２支柱部材の移動を阻止すると共に、第１支柱部材３に対し伸張する方向への第２支柱部材４の移動を許容するように構成されている。
【００２４】
一対の第２支柱部材４の上端には、固定ユニット１０が設けられている。固定ユニット１０は、図２に示すように、支柱２の伸縮方向に第２支柱部材４に設けられたロック孔８のピッチよりも大きい移動幅で移動可能に構成された突張部材１１と、突張部材１１を伸張した状態に付勢する本発明の付勢部材の一例としてのバネ部材１２とを備える。
【００２５】
支柱２を構成する第１支柱部材３及び第２支柱部材４は、それぞれ断面矩形の筒状に構成されており、上記の通り、第２支柱部材４が第１支柱部材３の内腔に上端側から挿入され、伸縮自在に構成される。左右一対の第１支柱部材３には、両者を跨ぐように連結する中間部パネル受け１３及び下側パネル受け１４が設けられる。中間部パネル受け１３及び下側パネル受け１４は、第１支柱部材３の非対向面３ｂに設けられており、第１パネル５との接触面で固定されて第１パネル５を支持する。中間部パネル受け１３は、第１支柱部材３の中間部分より下側に設けられ、下側パネル受け１４は第１支柱部材の下端に設けられる。すなわち、第１支柱部材３の非対向面３ｂと第１パネル５の表面との間は離間しており、中間部パネル受け１３よりも上側の当該隙間が、第２パネル部材収容空間１５として機能する。
【００２６】
中間部パネル受け１３の上面には、第２パネル６を第２パネル部材収容空間１５内に収納するときに、中間部パネル受け１３と第２パネル６との接触による衝撃を緩和するためにスポンジなどからなるクッション１６が設けられている。
【００２７】
第１支柱部材３の下端には、支持脚ユニット１８が設けられている。支持脚ユニット１８は第１支柱部材３に固定される脚受け１８ａと、脚受け１８ａに螺合され、螺進幅を調整することで長さ調整が可能な調整脚１８ｂとを備えている。
【００２８】
左右一対の第２支柱部材４の上端には、両者の対向面４ａを跨ぐように連結する上側パネル受け１７が設けられる。上側パネル受け１７には、第２パネル６の上端近傍が連結されて、第２パネル６が第２支柱部材４に固定される。上側パネル受け１７よりも下側に位置する第２パネル６と第２支柱部材４との対向面は接着されておらず、両者の間に、第１支柱部材３がスライド可能に構成されている。
【００２９】
第１パネル５及び第２パネル６は、図４の断面図に示すように内部がハニカム状に仕切られた中空の合成樹脂パネルで構成されている。第１パネル５及び第２パネル６の両端には、それぞれ間仕切りパネル１を主面方向に並べて配置する場合に隣り合う第１パネル５及び第２パネル６を連結するための連結リブ５ａ，６ａと、連結リブ５ａ，６ａを挿入する連結凹溝５ｂ，６ｂが設けられている。
【００３０】
第１パネル５及び第２パネル６の対向する面には、それぞれ支柱２の伸縮方向に伸びる案内溝１９ａ，１９ｂが設けられる。案内溝１９ａ，１９ｂには、断面Ｈ字形のガイドレール２０が溝の延在方向に沿って嵌め込まれる。本実施形態ではガイドレール２０は第１パネル５側の案内溝１９内に接着固定され、第２パネル６の上下方向へのスライドに応じて第２パネル６側の案内溝１９ｂとガイドレール２０とが相対的にスライドする。すなわち、案内溝１９ａとガイドレール２０との、第１パネルからの突出部分は、本発明の案内リブとして機能する。
【００３１】
ロックユニット７は、図２，図５，図６に示すように第２支柱部材４の互いの対向面４ａに所定の均等ピッチＰで設けられた多数のロック孔８と、第１支柱部材３の互いの対向面３ａに設けられ、ロック孔８に係入可能なロック部材９を備える。ロック部材９は、図５に示すように、第１支柱部材３の互いの対向面３ａ上端部分に設けられたロック部材ホルダ２１に枢着軸２２を介して回動可能に設けられている。
【００３２】
第１支柱部材３の互いの対向面３ａに設けられた一対のロック部材９は、操作レバー２３で連結されている。操作レバー２３は、左右２つのロック部材９の操作を同時に行うためのものであり、ロック部材ホルダ２１の差込孔２４に嵌入して取り付けられている。
【００３３】
ロック部材ホルダ２１は、互いの対向面側が開放した断面略コの字形に形成された部材であり、内側にロック部材９を収納した状態で支持する。ロック部材ホルダ２１の開放面側には、差込孔２４が設けられ、操作レバー２３の脱落を防止する脱落防止爪２５が設けられる。
【００３４】
ロック部材９は、図６に示すように、操作レバー２３の操作面９ｂを下向きに押すことによって、図中に破線で示すように、枢着軸２２を中心として矢印９０方向に回動可能である。ロック孔８に係入されるロック部材９の係入爪９ａは、下面が面取りされた斜面２６に構成され、上面が水平面２７に構成される。一方、ロック孔８は、下端側から内側に屈曲するように設けられたラチェット片２８を備える。
【００３５】
このため、矢印９１で示す第２支柱部材４の伸張時には、斜面２６及びラチェット片２７の表面によって係入爪９ａが案内され、枢着軸２２周りにロック部材９が回動するため、ロックユニット７のロックが解除された状態となっている。一方、矢印９２に示す第２支柱部材４の収縮時には、係止爪９ａの上面とロック孔８の上縁２９が係合するため第２支柱部材４の移動が規制される。
【００３６】
第２支柱部材４の上端に設けられている固定ユニット１０は、突張部材１１とバネ部材１２とを備え、第２支柱部材４の上端開口に挿入される取付キャップ３０によって、支柱の上端に固定される。
【００３７】
突張部材１１は、支持部１１ａと脚部１１ｂとを備えており、脚部１１ｂが取付キャップ３０に遊嵌された状態に取り付けられる。脚部１１ｂは、突張部材１１の移動幅Ｌが図２に示すロック孔８のピッチＰよりも大きくなるに十分な長さを有している。
【００３８】
また、取付キャップ３０の上側に位置するバネ支持部３１には、バネ部材１２が嵌め込まれて固定されている。バネ部材１２は、取付キャップ３０と支持部１１ａとを離間させるように、図示上向きに突張部材１１を付勢する。バネ部材１２は、後述するように、本実施形態にかかる間仕切りパネル１必要な強度で配置可能な程度の付勢力を有する。
【００３９】
本実施形態にかかる間仕切りパネル１は次のようにして屋内に配置する。まず、間仕切りパネルの支持脚ユニット１８を操作して、設置する床面Ｆの傾斜や段差などにあわせて調整脚１８ｂの高さ調整を行う。なお、このときの高さ調整は、上側パネル受け１７を基準とし、上側パネル１７が水平になるようにすることが好ましい。
【００４０】
支持脚ユニット１８の高さ調整が完了すると、所定の床面Ｆに間仕切りパネル１を立てた状態に配置し、第２支柱部材４を引き出して支柱２を伸張させる。上記のように、間仕切りパネル１の伸張においては、第２支柱部材４が第１支柱部材３に入れ子式に構成され、また、第２パネル６が第１支柱部材３と第１パネル５との間に形成される第２パネル部材収容空間１５に収納されているため、間仕切りパネル１を支える手で第２パネル６及び第２支柱部材４を支える必要がない。このため、間仕切りパネル１の伸張作業が簡便となる。
【００４１】
上記のように、本実施形態にかかる間仕切りパネル１に採用されたロックユニット７は、伸張時には係止することなく支柱２を自由に伸ばすことが可能である。支柱２の上端に設けられている固定ユニット１０の支持部１１ａが天井Ｃ面に接触した状態でさらに支柱２を伸張させることにより、突張部材１１の突出量が小さくなるように移動する。
【００４２】
突張部材１１が十分に収縮した状態で、支柱２の伸張を停止すると、ロックユニット７によって、支柱が所定の長さで固定される。なお、このとき係入爪９ａがロック孔８の間に位置するときは、支柱２の固定のため、支柱がわずかに収縮するが、突張部材１１の移動幅Ｌが、ロック孔８のピッチＰよりも大きくなるように構成されているため、ロックユニット７による支柱の固定時において、突張部材１１が通常長さに戻ることはない。したがって、支柱２が固定ユニット１０のバネ部材１２の不勢力により、床面Ｆ及び天井面Ｃの間に突っ張った状態となり、間仕切りパネル１を立てた状態に維持することができる。また、本実施形態の間仕切りパネル１は、第１パネル５，第２パネル６、支柱２がいずれも中空部材で構成され、軽量に構成されているため、パネルの立設に要する支持力も小さくてすみ、２つのバネ部材１２の付勢力で十分に固定可能である。
【００４３】
上記のようにして設置した間仕切りパネル１を撤去する場合は、操作レバー２３を押下することにより、左右のロックユニット７のロック部材９がロック孔８から解除されて収縮可能となり、支柱２が収縮する。これにより、床面Ｆ及び天井面Ｃの間の突っ張りが解除され、間仕切りパネル１を撤去することが可能となる。
【００４４】
本実施形態の間仕切りパネル１によれば、支柱２が伸縮可能に構成されており、当該支柱２の伸縮に追従して第２パネル６が第１パネル５に対して伸縮することで、パネルの高さ寸法を調整することができる。また、支柱の上端には、伸縮方向に沿って移動可能な固定ユニット１０が設けられ、その移動幅は支柱部材の固定ピッチＰよりも大きく構成されているため、床面Ｆと天井面Ｃに支柱２を突っ張って配置した場合にも、しっかりと安定した状態にパネルを配置することができる。また、パネル取り付けのために天井及び床面に取り付け治具を設ける必要はなく、任意の位置に簡便にパネルを取り付けることが可能である。
【００４５】
また、パネル取り外しは、ロックユニット７の係入を解除し支柱２を短くすることで簡単に取り外すことができる。したがって、取り付け位置の制限が少なく、また、屋内において簡易に取り付け及び取り外しをすることができる。
【００４６】
なお、本発明は上記実施形態に限定されるものではなく、その他種々の態様で実施可能である。例えば、本実施形態では、固定ユニットは、支柱の上端に一組設けられているが、例えば、上側パネル受け１７を介して幅広の固定ユニットとして間接的に支柱に設けることもできる。また、突張部材１１を付勢する付勢部材１２の取り付け構成としては、上記実施形態に限定されるものではなく、バネなどを支柱内部に設けてもよい。
【符号の説明】
【００４７】
１  間仕切りパネル
２  支柱
３  第１支柱部材
３ａ  対向面
４  第２支柱部材
４ａ  対向面
４ｂ  非対向面
５  第１パネル
５ａ，６ａ  連結リブ
５ｂ，６ｂ  連結凹溝
６  第２パネル
７  ロックユニット
８  ロック孔
９  ロック部材
１０  固定ユニット
１１  突張部材
１２  バネ部材
１３  中間部パネル受け
１４  下側パネル受け
１５  第２パネル部材収容空間
１６  クッション
１７  上側パネル受け
１８  支持脚ユニット
１８ａ  脚受け
１８ｂ  調整脚
１９  案内溝
２０  ガイドレール
２１  ロック部材ホルダ
２２  枢着軸
２３  操作レバー
２４  差込孔
２５  脱落防止爪
２６  面取り斜面
２７  水平面
２８  ラチェット片
２９  係合孔上縁
３０  取付キャップ
３１  バネ支持部
【図１】
0006647786.tif 000002
【図２】
0006647786.tif 000003
【図３】
0006647786.tif 000004
【図４】
0006647786.tif 000005
【図５】
0006647786.tif 000006
【図６】
0006647786.tif 000007
【図７】
0006647786.tif 000008